(57)【要約】    【課題】  本発明は、情報表示装置が所定位置からずれることなく、フレキシブルプリント基板をコンパクトに収納することができ、かつ情報表示装置の組み立て作業の作業性を向上させることができる撮像装置を提供する。    【解決手段】  カメラ３０は、画像表示装置１６と、電気基板１７と、画像表示装置１６及び電気基板１７を接続するフレキシブルプリント基板１８とを備え、フレキシブルプリント基板１８は、複数の曲げ位置において折り曲げられ、複数の曲げ位置は、カメラ３０の光軸方向に関して互いに重ならないようにカメラ３０の光軸方向に直交する方向にずらされて配置される。【選択図】      図５
2006215341.tif 000002
【特許請求の範囲】
【請求項１】
情報を表示する表示手段と、前記表示手段用の電気基板と、前記表示手段及び前記電気基板を接続するフレキシブルプリント基板とを備える撮像装置において、前記フレキシブルプリント基板は、複数の曲げ位置において折り曲げられ、前記複数の曲げ位置は、前記撮像装置の光軸方向に関して互いに重ならないように前記撮像装置の光軸方向に直交する方向にずらされて配置されることを特徴とする撮像装置。
【請求項２】
前記表示手段は、液晶表示装置から成ることを特徴とする請求項１記載の撮像装置。
【請求項３】
前記表示手段は、薄膜トランジスタを用いたアクティブマトリクス型液晶表示装置から成ることを特徴とする請求項１記載の撮像装置。
【請求項４】
前記電気基板は、前記フレキシブルプリント基板に接続されるコネクタを備え、前記コネクタは、前記電気基板の外周縁近傍に配置されていることを特徴とする請求項１乃至３のいずれか１項に記載の撮像装置。
【請求項５】
前記コネクタは、前記フレキシブルプリント基板が差込まれるフレキシブルプリント基板差込口を備え、前記フレキシブルプリント基板差込口は、前記コネクタに最短の前記電気基板の外周縁に配向していることを特徴とする請求項４記載の撮像装置。
【請求項６】
前記コネクタは、前記表示手段における前記フレキシブルプリント基板の接続位置の近傍において、前記電気基板に配置されていることを特徴とする請求項４又は５記載の撮像装置。
【発明の詳細な説明】
【技術分野】
【０００１】
本発明は、撮像装置に関し、特に、情報表示装置及び該情報表示装置用のフレキシブルプリント基板を備える撮像装置に関する。
【背景技術】
【０００２】
従来より、情報表示装置と、該情報表示装置に電気的に接続されたフレキシブルプリント基板とを備える撮像装置が知られている。このフレキシブルプリント基板は、一般的に、ストレート、又は１回曲げ（Ｕ字曲げ）の状態で撮像装置内に収納される。
【０００３】
また、回動可能な蓋を有する携帯機器等において、ヒンジ部にフレキシブルプリント基板を収納する際に、フレキシブルプリント基板を折り重ねてたるみをもたせたり、フレキシブルプリント基板を巻回させたりすることにより、蓋の回動によりフレキシブルプリント基板の連結部に発生する繰り返し引張力を吸収する技術が提案されている（特許文献１参照）。
【０００４】
上記フレキシブルプリント基板を備える撮像装置では、フレキシブルプリント基板の長さが短いと、情報表示装置の組み立て作業の作業性が低い。一方、情報表示装置の組み立て作業の作業性を考慮して、フレキシブルプリント基板の長さを長くすると、フレキシブルプリント基板を収納するために大きなスペースを確保する必要があり、カメラの小型化を妨げる。
【０００５】
そこで、情報表示装置の組み立て作業に適した長さのフレキシブルプリント基板を複数回折り重ねて配置する技術が提案されている。
【特許文献１】特開２００２−１６３７８号公報
【発明の開示】
【発明が解決しようとする課題】
【０００６】
しかしながら、フレキシブルプリント基板は硬いので、フレキシブルプリント基板を折り曲げることにより反力が発生する。情報表示装置の組み立て作業に適した長さのフレキシブルプリント基板を複数回折り重ねて配置すると、反力が折り重ねた回数分積み重なり、その反力により情報表示装置が押されて、情報表示装置が所定の位置からずれる場合がある。
【０００７】
本発明の目的は、情報表示装置が所定位置からずれることなく、フレキシブルプリント基板をコンパクトに収納することができ、かつ情報表示装置の組み立て作業の作業性を向上させることができる撮像装置を提供することを目的としている。
【課題を解決するための手段】
【０００８】
上記目的を達成するため、本発明は、情報を表示する表示手段と、前記表示手段用の電気基板と、前記表示手段及び前記電気基板を接続するフレキシブルプリント基板とを備える撮像装置において、前記フレキシブルプリント基板は、複数の曲げ位置において折り曲げられ、前記複数の曲げ位置は、前記撮像装置の光軸方向に関して互いに重ならないように前記撮像装置の光軸方向に直交する方向にずらされて配置されることを特徴とする。
【発明の効果】
【０００９】
本発明によれば、表示手段及び電気基板を接続するフレキシブルプリント基板は、複数の曲げ位置において折り曲げられ、複数の曲げ位置は、撮像装置の光軸方向に関して互いに重ならないように撮像装置の光軸方向に直交する方向にずらされて配置されるので、情報表示装置が所定位置からずれることなく、フレキシブルプリント基板をコンパクトに収納することができ、かつ情報表示装置の組み立て作業の作業性を向上させることができる。
【発明を実施するための最良の形態】
【００１０】
以下、本発明の実施の形態を図面を参照しながら詳述する。
【００１１】
図１は、本発明の実施の形態に係る撮像装置の内部構成を示す断面図である。
【００１２】
図１において、本発明の実施の形態に係る撮像装置としてのデジタル一眼レフカメラ（以下、単に「カメラ」という）３０は、カメラ本体１と、ミラーボックス２と、交換レンズ３と、ミラーユニット４と、メインミラー５と、サブミラー６と、焦点検出装置７と、アパーチャマスク８と、シャッタ先幕９と、光学フィルタ１０と、撮像素子１１と、シャッタ後幕１２と、フォーカシングスクリーン１３と、ペンタミラー保持部材１４と、ファインダー光学系１５と、画像表示装置１６と、電気基板１７と、フレキシブルプリント基板１８と、バックカバー１９とを備える。
【００１３】
ミラーボックス２は、カメラ本体１にファインダー光学系１５を固着する際の基準となる。交換レンズ３は、着脱可能な撮像レンズであり、マウントを介してカメラ本体１に装着されている。
【００１４】
ミラーユニット４は、ミラーボックス２に回動自在に取り付けられ、メインミラー５及びサブミラー６を接着保持している。交換レンズ３を透過した光束は、カメラ本体１内のメインミラー５に導かれる。メインミラー５はハーフミラーであり、メインミラー５で反射した光束は、ファインダー光学系１５へと導かれる一方、メインミラー５を透過した光束は、サブミラー６によって下方へ反射されて、焦点検出装置７へと導かれる。焦点検出装置７は、ファインダー視野内の複数の領域（７箇所）を焦点検出領域として、公知の位相差検出方式を用いて焦点調節の状態を検出する。
【００１５】
メインミラー５及びサブミラー６の後方には、漏出光を制限するシャッタユニットのアパーチャマスク８が配置されている。アパーチャマスク８の開口部は、非露光時には、シャッタ先幕９により閉じられている。アパーチャマスク８及びシャッタ先幕９の後方には、光学ローパスフィルター及び赤外線カットフィルターを含む光学フィルタ１０が配置されている。
【００１６】
露光時には、シャッタ先幕９が開き、アパーチャマスク８の開口部を通過した光束は、光学フィルタ１０を透過し、光学フィルタ１０の後方に配置された撮像素子１１上に結像する。撮像素子１１上に結像した被写体像の光量に応じて、撮像素子１１の各センサエレメントに電荷が蓄積される。撮像素子１１の不図示の電荷読出し回路は、撮像素子１１の水平ライン毎に電荷を走査して読出し、読出した電荷を電圧信号に変換する。
【００１７】
シャッタ後幕１２は、所定の露光時間に応じて撮像素子１１への光束を再び遮断する。撮像素子１１から出力される電圧信号、すなわちアナログ信号は、Ａ／Ｄ変換や圧縮等の公知の信号処理が施され、最終的にカメラに着脱可能な不図示の記録媒体にデジタル信号の画像データとして記録される。
【００１８】
交換可能なフォーカシングスクリーン１３は、光入射面にフレネルレンズ面、光出射面にマット面を有し、マット面は、撮影光学系の予定結像面に配置され、被写体像が投影される。ペンタミラー保持部材１４は、ミラーボックス２に固着されており、ファインダー光学系１５に関する様々な部品が取り付けられている。ファインダー光学系１５は、撮影者が被写体像を観察することができるように、フォーカシングスクリーン１３に投影された被写体像を集光して正立正像に変更する。
【００１９】
画像表示装置１６は、例えば、薄膜トランジスタ（TFT : Thin Film Transistor）を用いたアクティブマトリクス型液晶表示装置から成り、撮像素子１１により取得した画像データに基づいて画像を表示する。画像表示装置１６は、フレキシブルプリント基板１８を介して、電気基板１７と電気的に接続されている。
【００２０】
以下、図２〜図６を用いて、画像表示装置１６のカメラ本体１への組み付け方法を説明する。
【００２１】
図２は、図１のカメラ３０の一部を示す背面斜視図である。
【００２２】
図２において、カメラ３０は、背面に、カメラ３０の外観を構成する部品の一つであるバックカバー１９と、バックカバー１９に固着されている金属受け板２０とを備える。バックカバー１９は、カメラ３０の背面側からカメラ本体１に組み付けることができる形状を有している。
【００２３】
なお、図２〜図４において、図が複雑になるのを避けるため、バックカバー１９については、部分切り欠き図としている。
【００２４】
まず、画像表示装置１６を、金属受け板２０にカメラ３０の背面側から接着して固定する。ここで、金属受け板２０を用いずに、画像表示装置１６をバックカバー１９に直接接着して固定してもよい。
【００２５】
フレキシブルプリント基板１８は、画像表示装置１６に接続する第１の接続部１８ａと、第１の接続部１８ａと対向する第２の接続部１８ｂと、第１の接続部１８ａ及び第２の接続部１８ｂを連結する連結部１８ｃとから成る。フレキシブルプリント基板１８は、画像表示装置１６の組み立て作業に適した長さを有する。
【００２６】
次に、図３に示すように、第２の接続部１８ｂをカメラ本体１に接続する。
【００２７】
図３は、図１のカメラ３０の背面斜視図である。
【００２８】
図３において、カメラ３０は、カメラ本体１に固定された電気基板１７上に、コネクタ２１を有する。フレキシブルプリント基板１８の第２の接続部１８ｂは、コネクタ２１に接続される。
【００２９】
コネクタ２１は、電気基板１７の下端近傍に配置されており、カメラ３０の鉛直方向において、フレキシブルプリント基板１８の第１の接続部１８ａの近傍に配置されている。コネクタ２１のフレキシブルプリント基板差込口は、電気基板１７の外側（下側）に向かって配設されている。これにより、電気基板１７上のコネクタ２１の鉛直上側、及び左右両側の広いスペースに実装部品を配置することができるので、実装部品のレイアウトの自由度が増大する。即ち、電気基板１７において、フレキシブルプリント基板１８の配設により実装部品の配置が制限されず、実装部品を効率よく配置することができる。
【００３０】
次に、図４〜図６に示すように、画像表示装置１６が固着されたバックカバー１９をカメラ本体１に組み付ける。
【００３１】
図４は、図１のカメラ３０の背面斜視図であり、図５は、図１のカメラ３０の一部を示す背面図であり、図６は、図１のカメラ３０の一部を示す断面図である。なお、図４及び図５において、図が複雑になるのを避けるため、画像表示装置１６については、部分切り欠き図としている。
【００３２】
図５において、画像表示装置１６の組み立て作業に適した長さのフレキシブルプリント基板１８をコンパクトに収納配置するために、フレキシブルプリント基板１８は、曲げ位置１８ｄ，１８ｅ，１８ｆの３点で折り曲げられて配置される。また、曲げ位置１８ｄ，１８ｅ，１８ｆは、フレキシブルプリント基板１８を折り曲げて配置する際にカメラ３０の光軸方向に関して互いに重ならないように、カメラ３０の長手方向（カメラ３０の光軸方向に直交する方向）にずらされて配置される。
【００３３】
フレキシブルプリント基板１８を上記のように配置にすることにより、図６に示すように、フレキシブルプリント基板１８の折り曲げ径を大きく取ることができる。これにより、折り曲げによる反力を小さくすることができると共に、フレキシブルプリント基板１８上のパターンの断線を防止することができる。
【００３４】
本実施の形態によれば、曲げ位置１８ｄ，１８ｅ，１８ｆが互いに重ならないようにフレキシブルプリント基板１８を配置しているので、フレキシブルプリント基板１８を３回折り曲げて配置しても反力が積み重なって大きな力になることはなく、情報表示装置が所定位置からずれることを防止することができる。
【００３５】
また、フレキシブルプリント基板１８を３回折り曲げるので、フレキシブルプリント基板をコンパクトに収納することができ、もってカメラの小型化を図ることができる。
【００３６】
さらに、画像表示装置１６の組み立て作業に適した長さのフレキシブルプリント基板１８を用いることができるので、組み立て作業の作業性を向上させることができる。
【００３７】
さらに、コネクタ２１は、カメラ３０の鉛直方向において、フレキシブルプリント基板１８の第１の接続部１８ａの近傍に配置されていると共に、フレキシブルプリント基板差込口は、電気基板１７の下側に向かって配設されているので、電気基板１７において、フレキシブルプリント基板１８の配設により実装部品の配置が制限されず、実装部品を効率よく配置することができる。
【００３８】
なお、上記図１〜図６に図示したフレキシブルプリント基板１８の形状（展開図、折り曲げ図）は、これに限定されるものではなく、画像表示装置１６用のフレキシブルプリント基板１８の折り曲げ位置が、互いに重ならないようにずらされてカメラ３０に配置されていれば、これ以外の形状であってもよい。
【００３９】
また、画像表示装置１６は、薄膜トランジスタ（TFT : Thin Film Transistor）を用いたアクティブマトリクス型液晶表示装置から成るとしたが、これに限られるものではなく、他の形式の液晶ディスプレイ（LCD : Liquid Crystal Display）であっても構わない。
【図面の簡単な説明】
【００４０】
【図１】本発明における実施の形態であるデジタル一眼レフカメラの中央断面図である。
【図２】図１のカメラ３０の一部を示す背面斜視図である。
【図３】図１のカメラ３０の背面斜視図である。
【図４】図１のカメラ３０の背面斜視図である。
【図５】図１のカメラ３０の一部を示す背面図である。
【図６】図１のカメラ３０の一部を示す断面図である。
【符号の説明】
【００４１】
１  カメラ本体
１６  画像表示装置
１７  電気基板
１８  フレキシブルプリント基板
２１  コネクタ
３０  カメラ
【図１】
2006215341.tif 000003
【図２】
2006215341.tif 000004
【図３】
2006215341.tif 000005
【図４】
2006215341.tif 000006
【図５】
2006215341.tif 000007
【図６】
2006215341.tif 000008